(57)【要約】  本発明の電子機器は、１または複数の指示手段を接触または近接させるタッチ操作が行われると、前記１または複数の指示手段が接触または近接した接触点の位置を示すタッチ情報を出力するタッチパネルと、認証用データとして、前記タッチ情報に示される、前記タッチ操作での前記接触点の数を記憶する記憶部と、ユーザー認証の要求の後に、前記タッチ情報を受け付けると、該前記タッチ情報に示される前記接触点の数と、前記記憶部に記憶されている認証用データと、の比較に基づき、ユーザー認証を行う認証部と、を有する。
2012144616.tif 000002
【特許請求の範囲】
【請求項１】
１または複数の指示手段を接触または近接させるタッチ操作が行われると、前記１または複数の指示手段が接触または近接した接触点の位置を示すタッチ情報を出力するタッチパネルと、
認証用データとして、前記タッチ情報に示される、前記タッチ操作での前記接触点の数を記憶する記憶部と、
ユーザー認証の要求の後に、前記タッチ情報を受け付けると、該タッチ情報に示される前記接触点の数と、前記記憶部に記憶されている認証用データと、の比較に基づき、ユーザー認証を行う認証部と、を有することを特徴とする電子機器。
【請求項２】
請求項１記載の電子機器において、
前記記憶部は、前記認証用データとして、複数の前記タッチ操作で出力されるタッチ情報に示される、前記複数のタッチ操作それぞれにおける前記接触点の数の遷移を記憶し、
前記認証部は、前記ユーザー認証の要求の後に、前記タッチ情報を受け付けると、該タッチ情報に示される接触点の数の遷移と、前記認証用データと、の比較に基づき、ユーザー認証を行うことを特徴とする電子機器。
【請求項３】
請求項２記載の電子機器において、
前記記憶部は、前記認証用データとして、複数の前記タッチ操作で出力されるタッチ情報に示される、前記複数のタッチ操作それぞれにおける、前記タッチパネル上に設けられた複数の領域のうち、前記指示手段の接触または近接が検出された１または複数の検出領域の遷移、および、前記検出領域における前記接触点の数の遷移を記憶し、
前記認証部は、前記ユーザー認証の要求の後に、前記タッチ情報を受け付けると、該タッチ情報に示される、前記検出領域の遷移、および、前記検出領域における前記接触点の数の遷移と、前記記憶部に記憶されている認証用データと、の比較に基づき、ユーザー認証を行うことを特徴とする電子機器。
【請求項４】
請求項３記載の電子機器において、
前記タッチパネルは、前記接触点をスライドさせるスライド操作が行われると、前記接触点のスライド状態をさらに示すタッチ情報を出力し、
前記記憶部は、前記認証用データとして、複数の前記タッチ操作で出力されるタッチ情報に示される、前記複数のタッチ操作それぞれにおける、前記検出領域の遷移、および、前記検出領域における前記接触点の数の遷移に加えて、前記接触点のスライド状態を記憶し、
前記認証部は、前記ユーザー認証の要求の後に、前記タッチ情報を受け付けると、該タッチ情報に示される、前記検出領域、前記検出領域における接触点の数、および、前記接触点のスライド状態と、前記記憶部に記憶されている認証用データと、の比較に基づき、ユーザー認証を行うことを特徴とする電子機器。
【請求項５】
請求項１から４のいずれか１項に記載の電子機器において、
前記タッチパネルは、前記複数の領域の各々を識別するための映像を表示面に表示することを特徴とする電子機器。
【請求項６】
電子機器の制御方法であって、
前記電子機器に備えられ、１または複数の指示手段を接触または近接させるタッチ操作が行われると、前記１または複数の指示手段が接触または近接した接触点の位置を示すタッチ情報を出力するタッチパネルから出力される前記タッチ情報に示される、前記タッチ操作での前記接触点の数を、認証用データとして記憶し、
ユーザー認証の要求の後に、前記タッチ情報を受け付けると、該タッチ情報に示される接触点の数と、前記記憶している認証用データと、の比較に基づき、ユーザー認証を行うことを特徴とする電子機器の制御方法。
【請求項７】
請求項６記載の電子機器の制御方法において、
前記認証用データとして、複数の前記タッチ操作で出力されるタッチ情報に示される、前記複数のタッチ操作それぞれにおける前記接触点の数の遷移を記憶し、
前記ユーザー認証の要求の後に、前記タッチ情報を受け付けると、該タッチ情報に示される前記接触点の数の遷移と、前記記憶している認証用データと、の比較に基づき、ユーザー認証を行うことを特徴とする電子機器の制御方法。
【請求項８】
請求項７記載の電子機器の制御方法において、
前記認証用データとして、複数の前記タッチ操作で出力されるタッチ情報に示される、前記複数のタッチ操作それぞれにおける、前記タッチパネル上に設けられた複数の領域のうち、前記指示手段の接触または近接が検出される１または複数の検出領域の遷移、および、前記検出領域における前記接触点の数の遷移を記憶し、
前記ユーザー認証の要求の後に、前記タッチ情報を受け付けると、該タッチ情報に示される、前記検出領域の遷移、および、前記検出領域における前記接触点の数の遷移と、前記記憶している認証用データと、の比較に基づき、ユーザー認証を行うことを特徴とする電子機器の制御方法。
【請求項９】
請求項８記載の電子機器の制御方法において、
前記接触点をスライドさせるスライド操作が行われると、前記接触点のスライド状態をさらに示すタッチ情報が前記タッチパネルから出力され、
前記認証用データとして、複数の前記タッチ操作で出力されるタッチ情報に示される、前記複数のタッチ操作それぞれにおける、前記検出領域の遷移、および、前記検出領域における前記接触点の数の遷移に加えて、前記接触点のスライド状態を記憶し、
前記ユーザー認証の要求の後に、前記タッチ情報を受け付けると、該タッチ情報に示される前記検出領域の遷移、および、前記検出領域における接触点の数の遷移、および、前記接触点のスライド状態と、前記記憶している認証用データと、の比較に基づき、ユーザー認証を行うことを特徴とする電子機器の制御方法。
【請求項１０】
電子機器に、
前記電子機器に備えられ、１または複数の指示手段を接触または近接させるタッチ操作が行われると、前記１または複数の指示手段が接触または近接した接触点の位置を示すタッチ情報を出力するタッチパネルから出力される前記タッチ情報に示される、前記タッチ操作での前記接触点の数を、認証用データとして記憶する処理と、
ユーザー認証の要求の後に、前記タッチ情報を受け付けると、該タッチ情報に示される前記接触点の数と、前記記憶している認証用データと、の比較に基づき、ユーザー認証を行う処理と、を実行させるプログラム。
【発明の詳細な説明】
【技術分野】
【０００１】
本発明は、タッチパネルを備えた電子機器、電子機器の制御方法、および、プログラムに関する。
【背景技術】
【０００２】
携帯電話、スマートフォン、ＰＤＡ（Personal  Digital  Assistant）などの電子機器には、ユーザー認証の結果に応じて操作入力を有効または無効とするロック機能を備えたものがある。ロック機能を備えた電子機器によれば、認証を受けたユーザー以外の操作入力は無効となるので、例えば、電子機器を紛失した場合にも、その電子機器を拾得した第三者に不正使用されたり、電子機器に記憶されている情報が漏洩したりするのを防ぐことができ、セキュリティの向上が図られる。【０００３】
ユーザー認証を行う方法には、ユーザー認証のための認証用データとして、パスワードを用いる方法、ユーザーの指紋を用いる方法など種々の方法がある。また、指などの指示手段の接触または近接を検出するタッチパネルを備えた電子機器において、タッチパネルを介して入力された情報を認証用データとして用いる方法もある。【０００４】
例えば、特許文献１（特開２００７−２５７１４０号公報）には、タッチパネルを備えた電子機器において、所定のパターン形状を認証用データとして記憶し、ユーザー認証時には、ユーザーがタッチパネル上で手書き入力したパターン形状と記憶しているパターン形状との比較に基づき、ユーザー認証を行う方法が開示されている。【０００５】
また、特許文献２（特開２００５−１２８７０４号公報）には、タッチパネルを備えた電子機器において、タッチパネル上に設けられた複数の領域に指示手段を接触または近接させる順序を認証用データとして記憶し、ユーザー認証時には、ユーザーが複数の領域に指示手段を接触させた順序と記憶している順序との比較に基づき、ユーザー認証を行う方法が開示されている。
【先行技術文献】
【特許文献】
【０００６】
【特許文献１】特開２００７−２５７１４０号公報
【特許文献２】特開２００５−１２８７０４号公報
【発明の概要】
【発明が解決しようとする課題】
【０００７】
特許文献１に開示の方法においては、指を用いてパターン形状を入力すると、そのパターン形状に応じた汚れ（皮脂の跡）がタッチパネルに残り、その汚れから認証用データが第三者に知られてしまう可能性がある。【０００８】
また、特許文献２に開示の方法においては、タッチパネル上の複数の領域に指示手段を接触または近接させる際の動きから認証用データが第三者に知られてしまう可能性がある。【０００９】
本発明の目的は、認証用データが第三者に知られる可能性を低減することができる電子機器、電子機器の制御方法、および、プログラムを提供することにある。
【課題を解決するための手段】
【００１０】
上記目的を達成するために本発明の電子機器は、
１または複数の指示手段を接触または近接させるタッチ操作が行われると、前記１または複数の指示手段が接触または近接した接触点の位置を示すタッチ情報を出力するタッチパネルと、
認証用データとして、前記タッチ情報に示される、前記タッチ操作での前記接触点の数を記憶する記憶部と、
ユーザー認証の要求の後に、前記タッチ情報を受け付けると、該タッチ情報に示される前記接触点の数と、前記記憶部に記憶されている認証用データと、の比較に基づき、ユーザー認証を行う認証部と、を有する。【００１１】
上記目的を達成するために本発明の電子機器の制御方法は、
前記電子機器に備えられ、１または複数の指示手段を接触または近接させるタッチ操作が行われると、前記１または複数の指示手段が接触または近接した接触点の位置を示すタッチ情報を出力するタッチパネルから出力される前記タッチ情報に示される、前記タッチ操作での前記接触点の数を、認証用データとして記憶し、
ユーザー認証の要求の後に、前記タッチ情報を受け付けると、該タッチ情報に示される前記接触点の数と、前記記憶している認証用データと、の比較に基づき、ユーザー認証を行う。【００１２】
上記目的を達成するために本発明のプログラムは、
電子機器に、
前記電子機器に備えられ、１または複数の指示手段を接触または近接させるタッチ操作が行われると、前記１または複数の指示手段が接触または近接した接触点の位置を示すタッチ情報を出力するタッチパネルから出力される前記タッチ情報に示される、前記タッチ操作での前記接触点の数を、認証用データとして記憶する処理と、
ユーザー認証の要求の後に、前記タッチ情報を受け付けると、該タッチ情報に示される前記接触点の数と、前記記憶している認証用データと、の比較に基づき、ユーザー認証を行う処理と、を実行させる。
【発明の効果】
【００１３】
本発明によれば、認証用データが第三者に知られる可能性を低減することができる。
【図面の簡単な説明】
【００１４】
【図１】本発明の第１の実施形態の電子機器の構成を示すブロック図である。
【図２】図１に示す電子機器の認証用データ設定時の動作を示すフローチャートである。
【図３】図１に示す表示部の表示の一例を示す図である。
【図４】図１に示すタッチパッドへのタッチ操作の一例を示す図である。
【図５】図１に示すタッチパッドへのタッチ操作の他の一例を示す図である。
【図６】図１に示すタッチパッドへのタッチ操作のさらに他の一例を示す図である。
【図７】図１に示す電子機器のユーザー認証時の動作を示すフローチャートである。
【図８】図１に示すタッチパッドへのタッチ操作のさらに他の一例を示す図である。
【図９】本発明の第２の実施形態の電子機器の構成を示すブロック図である。
【発明を実施するための形態】
【００１５】
以下に、本発明を実施するための形態について図面を参照して説明する。
【００１６】
（第１の実施形態）
図１は、本発明の第１の実施形態の電子機器１０の構成を示すブロック図である。なお、図１においては、電子機器１０の構成のうち、本発明に関する構成のみを示し、他の構成については記載を省略する。
【００１７】
図１に示す電子機器１０は、表示部１１と、タッチパッド１２と、タッチパッドプロセッサ１３と、メモリ部１４と、中央演算装置１５と、を有する。なお、メモリ部１４は、記憶部の一例であり、中央演算装置１５は、認証部の一例である。
【００１８】
表示部１１は、ＬＣＤ（Liquid  Crystal  Display）、有機ＥＬ（Electroluminescence）ディスプレイなどの表示デバイスであり、認証用データの設定、ユーザー認証を要求する旨を示すボタン、また、ユーザー認証用のための映像など、表示面上に種々の映像を表示する。
【００１９】
タッチパッド１２は、表示部１１の表示面に重ね合わせて配置され、指、スタイラスペンなどの指示手段の接触または近接を検出すると、指示手段が接触または近接した接触点の位置に応じた検出信号をタッチパッドプロセッサ１３に出力する。なお、指示手段の接触または近接を検出する方式としては、抵抗膜方式、静電容量方式、光センサ方式など種々の方式がある。
【００２０】
タッチパッドプロセッサ１３は、タッチパッド１２に駆動信号を入力する。また、タッチパッドプロセッサ１３は、タッチパッド１２から出力される検出信号に対して、不安定データの除去などの所定の処理を施した後、検出信号に基づき指示手段が接触または近接した接触点の位置を計算し、計算した接触点の位置を示すタッチ情報を中央演算装置１５に出力する。
【００２１】
メモリ部１４は、中央演算装置１５が行うユーザー認証のための認証用データなど、種々の処理に必要なプログラム、データを記憶する。
【００２２】
中央演算装置１５は、ユーザー認証の結果に応じて、タッチパッド１２を介した操作入力を有効または無効とする。また、中央演算装置１５は、タッチパッド１２を介した操作入力を有効とすると、入力された操作に応じて、その操作の過程を表示部１１に表示させ、ユーザーに視覚的なフィードバックを提供する。なお、中央演算装置１５は、例えば、メモリ部１４から読み込んだプログラム、あるいは、内蔵するプログラムを実行するＣＰＵ（Central  Processing  Unit）などからなり、電子機器１０全体の動作を制御する機能を備える。
【００２３】
次に、本実施形態の電子機器１０の動作について説明する。
【００２４】
まず、認証用データの設定時の動作を図２に示すフローチャートを参照して説明する。
【００２５】
表示部１１に表示された認証用データの設定を要求する旨を示すボタン上に配置されたタッチパッド１２への指示手段の接触または近接が行われ、タッチパッド１２から、認証用データの設定の要求を受け付けると、中央演算装置１５は、ユーザー認証用の映像を表示部１１に表示させ、認証用データの設定を開始する（ステップＳ１０１）。なお、認証用データの設定の要求は、電子機器１０に設けられた物理的なキーボタンなどを介して入力されてもよい。
【００２６】
図３は、ユーザー認証用の映像の表示状態を示す図である。
【００２７】
図３に示すように、表示部１１にはユーザー認証用の映像として、タッチパッド１２が指示手段の接触または近接を検出可能な検出可能領域３１内に矩形の４つの領域３２Ａ〜３２Ｄと決定ボタン３３とが表示される。なお、電子機器１０に物理的な決定ボタンを設ける場合には、表示面上に決定ボタン３３を表示しなくてもよい。
【００２８】
再び、図２を参照すると、ユーザー認証用の映像を表示部１１に表示させた後、中央演算装置１５は、タッチパッドプロセッサ１３に指示し、タッチパッド１２を入力待機状態とする（ステップＳ１０２）。
【００２９】
入力待機状態において、領域３２Ａ〜３２Ｄのうち、１または複数の領域に１または複数の指示手段を略同時に接触または近接させた後、そのまま離すタッチ操作が行われると、その１または複数の指示手段が接触または近接した接触点の位置に応じた検出信号がタッチパッド１２から出力される。タッチパッドプロセッサ１３は、その検出信号に対して所定の処理を施した後、接触点の位置を計算し、計算した位置を示すタッチ情報を中央演算装置１５に出力する。
【００３０】
中央演算装置１５は、タッチパッドプロセッサ１３から出力されたタッチ情報を受け付け、受け付けたタッチ情報に示される、領域３２Ａ〜３２Ｄのうち、タッチ情報に示される位置が含まれる領域、すなわち、指示手段の接触または近接が検出された領域（以下、検出領域と称する）、および、その検出領域における接触点の数を特定し、特定した検出領域、および、その検出領域における接触点の数を示すタッチデータをメモリ部１４に一時的に記憶させ（ステップＳ１０３）、ステップＳ１０２の処理に戻る。
【００３１】
入力待機状態において、決定ボタン３３が表示された領域上に配置されたタッチパッド１２に指示手段を接触または近接させる決定操作が行われるまで、中央演算装置１５は、ステップＳ１０２，Ｓ１０３の処理を繰り返す。
【００３２】
決定操作が行われると、中央演算装置１５は、それまでのタッチ操作に応じてメモリ部１４に一時的に記憶されているタッチデータを、各タッチ操作が行われた順に統合し、認証用データとしてメモリ部１４に記憶させる（ステップＳ１０４）。
【００３３】
ここで、決定操作が行われる前に、図４に示すように、指示手段４１，４２を領域３２Ａに略同時に接触または近接させるタッチ操作１が行われ、タッチ操作１に続いて、図５に示すように、指示手段５１を領域３２Ｂに、指示手段５２を領域３２Ｃに略同時に接触または近接させるタッチ操作２が行われ、タッチ操作２に続いて、図６に示すように、指示手段６１を領域３２Ａに、指示手段６２を領域３２Ｄに略同時に接触または近接させるタッチ操作３が行われた場合を考える。この場合、中央演算装置１５は、タッチ操作１からタッチ操作３の各操作での検出領域の遷移、および、その検出領域における接触点の数の遷移が、「領域３２Ａに接触点２つ」、「領域３２Ｂに接触点１つ、かつ、領域３２Ｃに接触点１つ」、「領域３２Ａに接触点１つ、かつ、領域３２Ｄに接触点１つ」である旨を示す認証用データをメモリ部１４に記憶させる。
【００３４】
なお、認証用データの設定のためのタッチ操作においては、直前のタッチ操作とは異なる領域に指示手段を接触または近接させるのが望ましい。また、認証用データの設定のためのタッチ操作数は３に限られず、１、または、２、あるいは、４以上であってもよい。タッチ操作数を多くするほど、認証用データを第三者に知られにくくすることができる。
【００３５】
次に、ユーザー認証時の動作を図７に示すフローチャートを参照して説明する。
【００３６】
なお、以下では、操作入力がロックされている状態から、ロック解除を行なう際のユーザー認証を例として説明する。
【００３７】
表示部１１に表示されたユーザー認証を要求する旨を示すボタン上に配置されたタッチパッド１２に指示手段の接触または近接が行われ、タッチパッド１２から、ユーザー認証の要求を受け付けると、中央演算装置１５は、図３に示すユーザー認証用の映像を表示部１１に表示させ、ユーザー認証を開始する（ステップＳ２０１）。なお、ユーザー認証の要求は、電子機器１０に設けられた物理的なキーボタンなどを介して入力されてもよい。
【００３８】
ユーザー認証用の映像を表示部１１に表示させた後、中央演算装置１５は、タッチパッドプロセッサ１３に指示して、タッチパッド１２を入力待機状態とする（ステップＳ２０２）。
【００３９】
入力待機状態においてタッチ操作が行われると、そのタッチ操作に応じて指示手段が接触または近接した接触点の位置に応じた検出信号がタッチパッド１２から出力される。タッチパッドプロセッサ１３は、その検出信号に対して所定の処理を施した後、接触点の位置を計算し、計算した位置を示すタッチ情報を中央演算装置１５に出力する。
【００４０】
中央演算装置１５は、タッチパッドプロセッサ１３から出力されたタッチ情報を受け付け、受け付けたタッチ情報に示される、検出領域、および、その検出領域における接触点の数を示すタッチデータをメモリ部１４に一時的に記憶させ（ステップＳ２０３）、ステップＳ２０２の処理に戻る。
【００４１】
入力待機状態において決定操作が行われるまで、中央演算装置１５は、ステップＳ２０２，Ｓ２０３の処理を繰り返す。
【００４２】
決定操作が行われると、それまでのタッチ操作に応じてメモリ部１４に一時的に記憶されたタッチデータを、タッチ操作の入力順に統合し、解除用データとしてメモリ部１４に記憶させる（ステップＳ２０４）。
【００４３】
ここで、決定操作の前に、図４に示すように、指示手段４１，４２を領域３２Ａに略同時に接触または近接させるタッチ操作４が行われ、タッチ操作４に続いて、図５に示すように、指示手段５１を領域３２Ｂに、指示手段５２を領域３２Ｃに略同時に接触または近接させるタッチ操作５が行われ、タッチ操作５に続いて、図６に示すように、指示手段６１を領域３２Ａに、指示手段６２を領域３２Ｄに略同時に接触または近接させるタッチ操作６が行われた場合を考える。この場合、中央演算装置１５は、タッチ操作４からタッチ操作６での検出領域の遷移、および、その検出領域における接触点の数の遷移が、「領域３２Ａに接触点２つ」、「領域３２Ｂに接触点１つ、かつ、領域３２Ｃに接触点１つ」、「領域３２Ａに接触点１つ、かつ、領域３２Ｄに接触点１つ」である旨を示す解除用データをメモリ部１４に記憶させる。
【００４４】
再び、図７を参照すると、中央演算装置１５は、メモリ部１４に記憶されている認証用データと解除用データとが一致するか否かを判定する（ステップＳ２０５）。
【００４５】
認証用データと解除用データとが一致する場合には（ステップＳ２０５：Ｙｅｓ）、中央演算装置１５は、ユーザー認証に成功したとして、ロックを解除する（ステップＳ２０６）。
【００４６】
認証用データと解除用データとが一致しない場合には（ステップＳ２０５：Ｎｏ）、中央演算装置１５は、ユーザー認証に失敗したとして、ロックを継続させる（ステップＳ２０７）。
【００４７】
このように、本実施形態によれば、電子機器１０は、タッチ情報に示される、複数のタッチ操作での検出領域の遷移、および、その検出領域における接触点の数の遷移を認証用データとして記憶し、ユーザー認証時には、タッチ情報を受け付けると、そのタッチ情報に示される、複数のタッチ操作での検出領域の遷移、および、その検出領域における接触点の数の遷移を示す解除用データと記憶している認証用データとが一致するか否かに基づき、ユーザー認証を行う。
【００４８】
接触点の数の遷移を認証用データとすることで、一般に、タッチ操作の際の動きから、接触点の数まで予測することは困難であるため、認証用データが第三者に知られる可能性を低減することができる。
【００４９】
なお、本実施形態においては、検出領域の遷移、および、その検出領域における接触点の数の遷移を認証用データとする例を用いて説明したが、これに限られず、タッチパッド１２上の領域を分けずに、接触点の数の遷移だけを認証用データとしてもよい。
【００５０】
また、本実施形態においては、タッチ操作として、指示手段をタッチパッド１２に接触または近接させた後、そのまま離す、いわゆるタップ操作が行われる例を用いて説明したが、これに限られず、図８に示すように、指示手段８１，８２をタッチパッド１２に接触または近接させた後、接触点をスライドさせるスライド操作が行われてもよい。
【００５１】
スライド操作が行われると、タッチパッド１２は、接触点のスライド状態を示す位置情報を出力する。中央演算装置１５は、その位置情報に基づいて接触点のスライド状態を特定し、認証用データおよび解除用データとして、検出領域の遷移、その検出領域における接触点の数、および、その接触点のスライド状態をメモリ部１４に記憶させ、ユーザー認証を行う。
【００５２】
なお、図８においては、スライド操作に応じて接触点が同じ領域内でスライドする例を示しているが、これに限られるものではなく、複数の領域に跨って接触点のスライドが行われてもよい。
【００５３】
また、タッチパッド１２上の領域の数は４つに限られるものではなく、任意の数であってよい。また、各領域の形状は矩形に限られず、任意の形状であってよく、また、各領域の形状が異なっていてもよい。
【００５４】
また、タッチパッド１２上の複数の領域を識別する数字、文字、記号などの情報を表示部１１に表示させてもよい。各領域を識別する情報を表示することで、認証用データを記憶しやすくなる。また、例えば、タッチパッド１２の検出領域を、４行３列、すなわち、１２個の領域に分け、携帯電話のキー配置と同様に、各領域に数字の０〜９、記号＊，＃を割り当てると、電話番号などを入力するための構成を、認証用データの設定などにも用いることができるため、処理の共通化、プログラムの容量の削減を図ることができる。
【００５５】
また、タッチ操作でタッチパッド１２に指示手段を接触または近接させるのは２箇所に限られず、１箇所または３箇所以上であってもよい。ただし、第三者に認証用データを知られにくくするためには、認証用データ設定時に、タッチパッド１２に複数の指示手段を略同時に２箇所以上接触または近接させるタッチ操作を少なくとも１回は行うことが望ましい。
【００５６】
（第２の実施形態）
図９は、本発明の第２の実施形態の電子機器の構成を示すブロック図である。
【００５７】
図９に示す電子機器２０は、タッチパネル２１と、記憶部２２と、認証部２３と、を有する。
【００５８】
タッチパネル２１は、表示面を備えており、種々の映像を表示する。また、タッチパネル２１は、表示面上に、図１に示すタッチパッド１２が重ね合わせて配置され、１または複数の指示手段を接触または近接させるタッチ操作が行われると、指示手段の接触点の位置を示すタッチ情報を認証部２３に出力する。
【００５９】
記憶部２２は、認証用データとして、タッチ情報に示される、タッチ操作での接触点の数を記憶する。
【００６０】
認証部２３は、タッチパネル２１からユーザー認証の要求の後に、タッチ情報を受け付けると、そのタッチ情報に示される接触点の数と、記憶部２２に記憶されている認証用データと、の比較に基づき、ユーザー認証を行う。なお、ユーザー認証の要求は、電子機器２０に設けられた物理的なキーボタンなどを介して入力されてもよい。
【００６１】
接触点の数を認証用データとすることで、一般に、タッチ操作の際の動きから、接触点の数まで予測することは困難であるので、認証用データが第三者に知られる可能性を低減することができる。
【００６２】
なお、本発明の電子機器において行われる方法は、コンピュータに実行させるためのプログラムに適用してもよい。また、そのプログラムを記憶媒体に格納することも可能であり、ネットワークを介して外部に提供することも可能である。
【００６３】
以上、実施形態を参照して本願発明を説明したが、本発明は上記実施形態に限定されるものではない。本願発明の構成や詳細には、本願発明の範囲内で当業者が理解し得る様々な変更をすることができる。
【００６４】
この出願は、２０１１年４月２２日に出願された日本出願２０１１−０９６１６１を基礎とする優先権を主張し、その開示の全てをここに取り込む。
【図１】
2012144616.tif 000003
【図２】
2012144616.tif 000004
【図３】
2012144616.tif 000005
【図４】
2012144616.tif 000006
【図５】
2012144616.tif 000007
【図６】
2012144616.tif 000008
【図７】
2012144616.tif 000009
【図８】
2012144616.tif 000010
【図９】
2012144616.tif 000011
【国際調査報告】
2012144616.tif 000012
2012144616.tif 000013